(57)【特許請求の範囲】
【請求項１】
映像コンテンツを大容量記録媒体に記録して再生する記録再生装置において、
前記大容量記録媒体に記録された各映像コンテンツのサムネイルをテレビ画面に表示可能に作成して前記大容量記録媒体に保存する手段と、
録画予約中の番組がある場合に、前記大容量記録媒体に記録された各映像コンテンツのサムネイルの次のサムネイル表示位置に前記録画予約中の番組の録画予約状態をテレビ画面にサムネイル表示可能に出力する手段とを、
備え、前記録画予約中の番組の録画開始時にその映像コンテンツを取り込んでサムネイルを作成し、そのサムネイルを前記録画予約状態に差し替えてサムネイル表示し、よってユーザが前記各映像コンテンツの前記サムネイル及び前記録画予約状態が表示される画面上の表示を指定して所望の映像コンテンツの再生指示が行えるようにしたことを特徴とする記録再生装置。
【請求項２】
前記録画予約中の番組の録画開始時から所定時間経過後にその映像コンテンツを再度取り込んでサムネイルを作成し、そのサムネイルに差し替えてサムネイル表示することを特徴とする請求項１記載の記録再生装置。
【発明の詳細な説明】
【０００１】
【発明の属する技術分野】
本発明は、ハードディスクや半導体メモリなどの大容量記録媒体に記録再生を行う記録再生装置に関する。
【０００２】
【従来の技術】
ＴＶ番組などの映像（及び音声）のコンテンツの記録再生を行う記録再生装置としては、ビデオテープを用いたＶＴＲが知られている。また、近年では、ハードディスク（ＨＤ）や半導体メモリなどの記録媒体の大容量化に伴い、これらを記録媒体とした映像コンテンツの記録再生装置が知られている。そこで、ＨＤなどの大容量記録媒体（以下、総称して単にＨＤ）とビデオテープの両方の記録再生を行う一体型の記録再生装置が注目されている。
【０００３】
このような一体型の記録再生装置によれば、その利用形態としては、例えばビデオテープより大きな容量の多数、長時間のＴＶ放送番組を連続してＨＤに記録し、その内の所望の番組を選択的にビデオテープにダビングすることなどが可能になる。ところで、従来のＶＴＲでは、ユーザが録画した番組のタイトルを文字で登録してこれをＶＴＲの表示器に表示させたり、予約中の番組のチャネル、時間などの内容をＶＴＲの表示器に表示させるものが知られている。
【０００４】
【発明が解決しようとする課題】
しかしながら、ＨＤなどの大容量記録媒体には多数のＴＶ放送番組などを記録することができるので、ユーザが複数の番組を予約録画した場合や、毎日や毎週の同じ時間の番組を予約録画した場合に、予約録画が実際に登録されているか、予約録画済みかなどの予約録画状態が解りづらくなるという問題点がある。
また、多数の番組を大容量記録媒体に録画した場合や、毎日や毎週の同じ時間の番組を予約録画した場合に、その番組がコピー禁止番組か、毎日予約番組か、毎週予約番組かなどの番組毎の録画内容が解りづらくなるという問題点がある。
【０００５】
本発明は上記の問題点に鑑み、多数の番組を大容量記録媒体に記録した場合に予約録画の状態を解りやすく表示することができる記録再生装置を提供することを目的とする。
また、上記の問題点に鑑み、多数の番組を大容量記録媒体に記録した場合にコピー禁止番組か、毎日予約番組か、毎週予約番組かなどの番組毎の録画内容を解りやすく表示することができる記録再生装置を提供することは本発明の好ましい態様である。
【０００６】
【課題を解決するための手段】
本発明は上記目的を達成するために、録画予約中の番組がある場合に、大容量記録媒体に記録された各映像コンテンツのサムネイルの次のサムネイル表示位置に録画予約中の番組の録画予約状態をテレビ画面にサムネイル表示可能に出力するために前記録画予約中の番組の録画開始時にその映像コンテンツを取り込んでサムネイルを作成し、そのサムネイルを前記録画予約状態に差し替えてサムネイル表示するようにしたものである。
すなわち本発明によれば、映像コンテンツを大容量記録媒体に記録して再生する記録再生装置において、
前記大容量記録媒体に記録された各映像コンテンツのサムネイルをテレビ画面に表示可能に作成して前記大容量記録媒体に保存する手段と、
録画予約中の番組がある場合に、前記大容量記録媒体に記録された各映像コンテンツのサムネイルの次のサムネイル表示位置に前記録画予約中の番組の録画予約状態をテレビ画面にサムネイル表示可能に出力する手段とを、
備え、前記録画予約中の番組の録画開始時にその映像コンテンツを取り込んでサムネイルを作成し、そのサムネイルを前記録画予約状態に差し替えてサムネイル表示し、よってユーザが前記各映像コンテンツの前記サムネイル及び前記録画予約状態が表示される画面上の表示を指定して所望の映像コンテンツの再生指示が行えるようにしたことを特徴とする記録再生装置が提供される。
なお本明細書中、サムネイルとは、画像のデータ量を少なくして画面の一部に表示できるような小さな画像をいう。
【０００８】
【発明の実施の形態】
以下、図面を参照して本発明の実施の形態について説明する。図１は本発明に係る記録再生装置の一実施形態を示す概略ブロック図、図２は図１のＨＤＤ部とＣＰＵを詳細に示すブロック図、図３はＨＤＤナビ画面を示す説明図、図４は図３のアイコンを詳しく示す説明図、図５はＨＤＤナビ画面のダビング画面を示す説明図、図６はＶＨＳナビ画面を示す説明図である。
【０００９】
図１に示す装置１０は、テレビ入力端子ＴＶと外部入力端子ＩＮ１、ＩＮ２を入力端子として備え、また、外部のテレビジョン受像機（ＴＶ：単にテレビともいう）１に接続するための出力端子ＯＵＴを備えている。装置１０はまた、その内部構成として、ＴＶチューナ（単にチューナともいう）１１と、ＣＰＵ１２と、ＶＴＲ部１３と、ハードディスクブロックとしてのＡ／Ｄ変換器１４、ＨＤＤ部１５及びＤ／Ａ変換器１６と、スイッチ１７、１８と、ＬＣＤなどの表示器１９と、リモコン送信機（以下、簡単にリモコン）２０ａとリモコン受信機２０ｂを備えている。リモコン２０ａは操作ボタンとして、チャネル選択用のＣＨ１〜ＣＨ１２ボタンなどの他、ＨＤＤボタンと、ＶＨＳボタンと、カーソル移動用の十字選択ボタンと、決定（ＯＫ）ボタンと、終了（ナビ）ボタンと「記憶」ボタンを有する。
【００１０】
スイッチ（ＳＷ１）１７はＣＰＵ１２の制御により、チューナ１１の出力、外部入力端子ＩＮ１、ＩＮ２の入力、ＶＴＲ部１３の出力、ＨＤＤ部１５（Ｄ／Ａ変換器１６）の出力の１つ又は２つを選択してＶＴＲ部１３、ＨＤＤ部１５（Ａ／Ｄ変換器１４）に出力する。スイッチ（ＳＷ２）１８はＣＰＵ１２の制御により、ＶＴＲ部１３の出力又はＨＤＤ部１５（Ｄ／Ａ変換器１６）の出力を選択して出力端子ＯＵＴに出力する。すなわち、ＶＴＲ部１３、ＨＤＤ部１５は録画／再生を同時に行うことができる。
【００１１】
次に図２を参照してＨＤＤ部１５とＣＰＵ１２の構成について説明する。まず、ＨＤＤ記録時には図１に示すＡ／Ｄ変換器１４からの信号（コンテンツ）は、記録信号処理部３１によりＭＰＥＧ方式の圧縮などの記録信号処理が行われ、このデータは記録コントローラ２１、メディアマネージャ２２の制御によりＨＤ２３に送られて録画される。また、ＨＤＤ再生時にはＨＤ２３から再生された信号がメディアマネージャ２２、再生コントローラ２４の制御により再生信号処理部２５に送られてＭＰＥＧ伸長などの再生信号処理が行われ、このデータは表示コントローラ２６の制御によりオンスクリーンディスプレイ処理部２７を経由して図１に示すＤ／Ａ変換器１６に送られる。
【００１２】
システムコントローラ２８には、後述するようなＧＵＩ形式のＨＤＤナビゲーション用の画面（ＨＤＤナビ画面）とＶＴＲナビゲーション用の画面（ＶＨＳナビ画面）を作成するための画像ファイルやテキストデータなどがあらかじめ記憶されており、また、この作成されたＨＤＤナビ画面とＶＨＳナビ画面の各データは、例えばＪＰＥＧ方式で圧縮されてＨＤ２３に記録される。
【００１３】
システムコントローラ２８はサムネイルの作成、保存手段を構成し、また、システムコントローラ２８と、表示コントローラ２６とオンスクリーンディスプレイ処理部２７は、サムネイル表示手段を構成しており、例えばリモコン送信機２０ａの「ナビ」ボタンが押されると、ＨＤＤナビ画面とＶＨＳナビ画面をテレビジョン受像機１の画面に表示するための制御などを行う。記録コントローラ２１、メディアマネージャ２２、再生コントローラ２４及び表示コントローラ２６の一部と、システムコントローラ２８及び記録予約マネージャ２９は図１に示すＣＰＵ１２により構成されている。システム時計３０はハードウエアにより構成されている。
【００１４】
ＨＤＤナビ画面は図３に示すように、ＨＤ２３に録画されているコンテンツを頭出しするための「頭出し」ページと、ＨＤ２３に録画されているコンテンツをＶＴＲ部１３のテープにコピーするための「簡単保存」ページと、「編集」ページの３ページの基本ページにより構成され、各ページはそのタブを選択することにより選択的に表示可能なように構成されている。また、各基本ページには詳細ページがリンクしている。
【００１５】
また、ＨＤＤナビ画面及び後述するＶＨＳナビ画面の下方には、選択されているページに関係なく、リモコン２０ａの十字選択ボタンと、決定（ＯＫ）ボタンと、終了（ナビ）ボタンの操作ガイダンスが表示される。十字選択ボタンはカーソルを画面の任意の位置に移動可能ではなく、ＧＵＩ画面に応じたボタン位置、タグ位置などの限定した位置のみに移動可能である。
【００１６】
＜ＨＤＤナビ概要＞
（１）ＨＤＤナビデータはＨＤ２３に記憶される。
（２）最大６０番組。
（３）ジャンルはＢＳデジタル放送で規定されている大分類１２＋α（１６種）
（４）番組タイトルは英数字で１５文字
（５）サムネイルは録画開始時の画面を登録する。録画予約中の番組は最後のサムネイル欄に「予約中」を表示する。予約録画時は、録画開始時の画面を１度取り込み、５分以上の予約の場合には録画開始時から５分後に再度取り込んで更新する。「予約中」の文字の代わりに、例えばユーザがあらかじめ「予約中」を表す画像として登録したものを表示するようにしてもよい。
（６）サムネイルはサムネイル修正画面で差し替えできる。
（７）サムネイルがカーソルにより指示されると、その下に詳細情報（番組タイトル、録画日時、録画チャネル、録画モード、録画時間、ジャンル、アイコンなど）を表示する。
（８）詳細情報の下には、「再生」、「修正」、「削除」、「取消し」ボタンが表示される。
【００１７】
＜ＨＤＤナビ画面−頭出しページ＞
（１）電源オン状態でＨＤＤ操作モード時にリモコン２０ａの終了（ナビ）ボタンが押されると、ＨＤＤナビ画面の先頭ページとして表示する。カーソルは、例えば最新の番組のサムネイルに表示し、また、十字選択ボタンの操作に応じてサムネイル毎に移動（スクロール）する。
（２）サムネイルは録画順に表示する。
【００１８】
サムネイルの上には、図４に詳しく示すように番組の内容を示すアイコンとして、
・毎週予約の番組（ＨＤＤナビのみ）
・毎日予約の番組（ＨＤＤナビのみ）
・コピー禁止の番組（ＨＤＤナビのみ）
・番組頭が欠けている番組（ＶＨＳナビのみ）
を示すアイコンを表示する。また、サムネイルの下の番組詳細情報の欄には、
・ステレオ放送の番組
・二カ国語放送の番組
・タイマー録画された番組
・オートＣＭカットされた番組（ＶＨＳナビのみ）
を示すアイコンを表示する。
【００１９】
なお、コピー禁止の番組か否かを判断する方法としては、例えばＢＳデジタル放送局から送られてきたり、ＤＶＤに記録されている著作権管理情報として「コピー禁止」か、「コピー１回可」か「コピー可」を示す情報があるので、「コピー１回可」の場合にコピー禁止の番組のアイコンを表示する。ここで、元々「コピー１回可」のコンテンツは、ＨＤ２３に記録されると「コピー禁止」となる。
【００２０】
（３）サムネイルがカーソルで指定された状態で決定（ＯＫ）ボタンが押されるとカーソルを「再生」ボタンに移動し、この状態で決定（ＯＫ）ボタンが押されるとその番組の再生を開始する。
（４）複数番組を連続再生する場合、サムネイルがカーソルで指定された状態でリモコン２０ａの「記憶」ボタンが押されると、再生順番を登録して、再生順番を示す数字をそのサムネイル上に重畳して表示する（図５参照）。取り消す場合、サムネイルがカーソルで指定された状態でリモコン２０ａの「記憶」ボタンが押されると、再生順番をそのサムネイルから消す。カーソルが「再生」ボタンに移動されて決定（ＯＫ）ボタンが押されると、連続再生を開始する。
【００２１】
＜ＨＤＤナビ画面−簡単保存ページ＞
（１）頭出しページの「簡単保存」タグがカーソルで指定された状態で決定（ＯＫ）ボタンが押されると、図５に示すような簡単保存ページを表示する。この簡単保存ページの内容は、「実行」、「実行後消去」及び「取消し」のボタンを除き、頭出しページとほほ同じである。
（２）サムネイルは録画順に表示する。
（３）サムネイルがカーソルで指定された状態で決定（ＯＫ）ボタンが押されるとカーソルを「実行」ボタンに移動する。「実行」又は「実行後消去」ボタンがカーソルで指定された状態で決定（ＯＫ）ボタンが押されると、テープ挿入メッセージを表示し、次いで決定（ＯＫ）ボタンが押されると、その番組のダビングを開始する。
【００２２】
（４）連続ダビングの場合、サムネイルがカーソルで指定された状態でリモコン２０ａの「記憶」ボタンが押されると、再生（ダビング）順番を登録して、再生順番を示す数字をそのサムネイル上に重畳して表示する（図５参照）。取り消す場合、サムネイルがカーソルで指定された状態でリモコン２０ａの「記憶」ボタンが押されると、再生（ダビング）順番をそのサムネイルから消す。カーソルが「実行」又は「実行後消去」ボタンに移動されて決定（ＯＫ）ボタンが押されると、連続再生（ダビング）を開始する。
連続ダビングを行う際は、ＨＤＤ部１５で再生された番組がＤ／Ａ変換器１６を介してスイッチ（ＳＷ１）１７に供給され、このスイッチ（ＳＷ１）１７の切り替えにより再生された番組がＶＴＲ部１３に出力される。
深夜ダビングモードを備え、この深夜ダビングモードでダビングを行う際は、あらかじめ設定した時間帯（例えば、深夜２時から５時までの間など）にダビング動作が実行されるため、装置を使用しない深夜時間帯を利用してダビングを実行できる。
【００２３】
（５）ダビング終了後、「実行」が選択されていた場合にはその番組をＨＤ２３から消去せず、「実行後消去」ボタンが選択されていた場合にはその番組をＨＤ２３から消去する。ただし、テープの残量不足や中断など、ダビングを失敗したときには消去しない。
【００２４】
また、ダビング終了後、「実行」が選択されていた場合にはその番組のサムネイル情報をＨＤ２３上のＶＨＳナビデータエリアにコピーする（ＨＤ２３上のＨＤＤナビデータエリアは消去しない）。「実行後消去」ボタンが選択されていた場合にはその番組のサムネイル情報をＨＤ２３上のＶＨＳナビデータエリアに移動する（ＨＤ２３上のＨＤＤナビデータエリアを消去する）。同様に、テープの残量不足や中断など、ダビングを失敗したときには消去しない。
【００２５】
＜ＶＨＳナビ概要＞
（１）ＶＨＳナビデータもＨＤＤナビデータと同様にＨＤ２３に記憶されるが、ここでは、ＨＤ２３の個々のエリアに記憶するものとする。なお、記憶エリアを節約するために、同じデータは共通のエリアに記憶してフラグによりＨＤＤナビ専用かＨＤＤナビ／ＶＨＳナビ兼用かを示すようにしてもよい。
（２）テープ登録本数は最大６８０本、番組登録数は最大２０００タイトル。
（３）ジャンルはＢＳデジタル放送で規定されている大分類１２＋α（１６種）
（４）番組タイトルは英数字で１５文字
【００２６】
（５）サムネイルは録画開始時の画面を登録する（ＨＤからのダビング時には新たに作成せず、ＨＤＤナビデータをコピー又は移動する）。予約録画時は、録画開始時の画面を１度取り込み、５分以上の予約の場合には録画開始時から５分後に再度取り込んで更新する。ただし、ＨＤＤ側が録画、再生中はサムネイルは登録できない。その場合、上記のコピー又は移動を除いて、そのサムネイルの位置に「サムネイル未登録」を表示する。
（６）サムネイルはサムネイル修正画面で差し替えできる。
（７）サムネイルがカーソルにより指示されると、その下に詳細情報（番組タイトル、録画日時、録画チャネル、録画モード、録画時間、ジャンル、アイコンなど）を表示する。
【００２７】
ＶＨＳナビ画面は、図６に示すように「頭出し」ページ、「録画日順」ページ、「ジャンル検索」ページ及び「テープ番号順」ページの４ページの基本ページで構成され、各ページは十字選択ボタンによりカーソルで各タブを指定して決定ボタンを押下することにより選択される。「頭出し」ページのタグには、テープの最初の記録時にコントロールトラックにあらかじめ記録した４桁のテープ番号を表示する。同じく、この基本ページにも詳細ページがリンクしている。
【００２８】
【発明の効果】
以上説明したように本発明によれば、録画予約中の番組がある場合に、大容量記録媒体に記録された各映像コンテンツのサムネイルの次のサムネイル表示位置に録画予約中の番組の録画予約状態をテレビ画面にサムネイル表示可能に出力するようにしたので、多数の番組を大容量記録媒体に記録した場合に予約録画の状態を解りやすく表示することができる。
また、本発明によれば、大容量記録媒体に記録された各映像コンテンツのサムネイルの近傍にその番組の録画内容を示すアイコンをテレビ画面にサムネイル表示可能に出力するようにしたので、多数の番組を大容量記録媒体に記録した場合にコピー禁止番組か、毎日予約番組か、毎週予約番組かなどの番組毎の録画内容を解りやすく表示することができる。
【図面の簡単な説明】
【図１】本発明に係る記録再生装置の一実施形態を示す概略ブロック図である。
【図２】図１のＨＤＤ部とＣＰＵを詳細に示すブロック図である。
【図３】ＨＤＤナビ画面を示す説明図である。
【図４】図３のアイコンを詳しく示す説明図である。
【図５】ＨＤＤナビ画面のダビング画面を示す説明図である。
【図６】ＶＨＳナビ画面を示す説明図である。
【符号の説明】
１３  ＶＴＲ部
１５  ＨＤＤ部
２３  ＨＤ（大容量記録媒体）
２６  表示コントローラ
２７  オンスクリーンディスプレイ処理部
２８  システムコントローラ（サムネイル作成、保存手段を構成する。また、表示コントローラ２６とオンスクリーンディスプレイ処理部２７と共にサムネイル表示手段を構成する。）
【図１】
0003636053.tif 000002
【図２】
0003636053.tif 000003
【図３】
0003636053.tif 000004
【図４】
0003636053.tif 000005
【図５】
0003636053.tif 000006
【図６】
0003636053.tif 000007